(57)【要約】  本発明は、少なくとも１つの切断ブレード（１０，１２）と、切断ブレード（１０，１２）の切断方向（１６）に関して切断ブレード（１０，１２）の後方に配置された活性駆動可能な皮膚伸張手段（１４）とを含む。活性駆動可能な皮膚伸張手段（１４）は、シェービングされるべき皮膚の刻み傷及び切り傷又は刺激がシェービング操作中に生成される可能性を低減するために設けられる。本発明によれば、シェービングヘッド（８）は、シェービングヘッド（８）と、シェービングヘッド（８）に取り付けられた或いは取り付け可能なハンドル（２２）との間に、旋回軸（２０）を提供するための手段（１８）を含み、旋回軸（２０）は、前記切断ブレード（１０，１２）と少なくとも本質的に平行に配置されている。旋回軸（２０）を設けることによって、活性駆動可能な皮膚伸張手段（１４）に加えられる力と、シェービングヘッド（８）の他の部分に加えられる力との間の力の割合を、ハンドルの異なる角度のために一定に維持し得る。これは活性駆動可能な皮膚伸張手段（１４）の作用を向上する。
2007513673.tif 000002
【特許請求の範囲】
【請求項１】
少なくとも１つの切断ブレードと、
該切断ブレードの切断方向に関して前記切断ブレードの後方に配置される活性駆動可能な皮膚伸張手段とを含むシェービングヘッドであって、
当該シェービングヘッドと、当該シェービングヘッドに取り付けられた或いは取り付け可能なハンドルとの間に、旋回軸を提供するための手段を含み、前記旋回軸は、前記切断ブレードと少なくとも本質的に平行に配置されることを特徴とする、シェービングヘッド。
【請求項２】
当該シェービングヘッドに取り付けられたときに、当該シェービングヘッドと前記ハンドルとの間に、少なくとも１つのバネ素子が設けられる、請求項１に記載のシェービングヘッド。
【請求項３】
前記切断ブレードの前記切断方向に関して前記切断ブレードの前方に配置された保護手段をさらに含む、請求項１に記載のシェービングヘッド。
【請求項４】
前記保護手段は、毛直立作用を遂行するよう構成される、請求項３に記載のシェービングヘッド。
【請求項５】
前記保護手段は、潤滑作用を遂行するよう構成される、請求項３に記載のシェービングヘッド。
【請求項６】
前記保護手段は、前記切断ブレードと平行に配置された少なくとも１つのストリップを含む、請求項３に記載のシェービングヘッド。
【請求項７】
前記旋回軸は、シェービング操作中、前記切断方向に対して直交する方向に加えられる力の成分が、前記活性駆動可能な皮膚伸張手段及び前記保護手段に、少なくとも本質的に等量に分配される、請求項３に記載のシェービングヘッド。
【請求項８】
前記旋回軸は、前記活性駆動可能な皮膚伸張手段よりも前記保護手段に近接して配置される、請求項３に記載のシェービングヘッド。
【請求項９】
前記切断ブレードと平行な旋回軸を提供するための手段は、当該シェービングヘッドを前記ハンドルに結合するための第一結合手段を含む、請求項１に記載のシェービングヘッド。
【請求項１０】
前記活性駆動可能な皮膚伸張手段は、少なくとも１つの活性駆動可能なローラを含む、請求項１に記載のシェービングヘッド。
【請求項１１】
前記ローラの回転の向きは、シェービング操作中に活性であるとき、前記切断方向に関する回転のリーリング向きに対応し、前記活性駆動可能なローラの回転速度は、当該シェービングヘッドの動作に起因する回転速度よりも高速である、請求項１０に記載のシェービングヘッド。
【請求項１２】
前記活性駆動可能な皮膚伸張手段は、シェービングされるべき皮膚上での当該シェービングヘッドの動作を介して駆動される、請求項１に記載のシェービングヘッド。
【請求項１３】
前記活性駆動可能な皮膚伸張手段は、電気モータによって駆動可能である、請求項１に記載のシェービングヘッド。
【請求項１４】
前記電気モータは、当該シェービングヘッドに関連付けられた、請求項１３に記載のシェービングヘッド。
【請求項１５】
前記電気モータは、前記ハンドルに関連付けられた、請求項１３に記載のシェービングヘッド。
【請求項１６】
前記皮膚伸張素子を前記電気モータに結合するための第二結合手段をさらに含む、請求項１５に記載のシェービングヘッド。
【発明の詳細な説明】
【技術分野】
【０００１】
本発明は、少なくとも１つの切断ブレードと、切断ブレードの切断方向に関して切断ブレードの後方に配置された活性駆動可能な皮膚伸張手段とを含むシェービングヘッドに関する。
【背景技術】
【０００２】
上述の種類のシェービングヘッドは、当該技術分野において周知である。そのようなシェービングヘッドは、安全剃刀としても知られている。既知の安全剃刀との関連で依然として起こる問題は、シェービング操作中にシェービングされるべき皮膚の刻み傷及び切り傷又は刺激が生成されるという可能性である。
【０００３】
例えば被駆動ローラの形態の皮膚伸張手段を切断ブレードの後方に設けることによって、この問題を少なくとも軽減し得る。そのような解決策は、ドイツ国公報第ＤＥ１９５１４２２８Ａ１号から既知である。この文献は、上述の種類のシェービングヘッドを有する剃刀を開示しており、第一ローラが切断ブレードの前方に設けられ、第二ローラが切断ブレードの後方に設けられている。第一ローラは、皮膚上でシェービングヘッドを移動することによって駆動される。さらに、皮膚伸張効果をもたらすために、第一ローラ及び第二ローラは、第二ローラが第一ローラよりも高速に回転するように駆動されるよう、歯車によって結合されている。しかしながら、ドイツ国公報第ＤＥ１９５１４２２８Ａ１号から既知の解決策では、所望の皮膚伸張効果は、剃刀を使用する人が、第一ローラ及び第二ローラの双方がシェービングされるべき皮膚と適切に接触するよう、ハンドル、よって、シェービングヘッドを適切に傾斜する場合にのみ達成される。
【発明の開示】
【発明が解決しようとする課題】
【０００４】
皮膚伸張効果が全ての使用条件の下で得られるように上述の種類のシェービングヘッドを改良することが本発明の目的である。
【課題を解決するための手段】
【０００５】
この目的を達成するために、本発明に従ったシェービングヘッドは、シェービングヘッドと、シェービングヘッドに取り付けられた或いは取り付け可能なハンドルとの間に、旋回軸を提供するための手段を含み、旋回軸は、切断ブレードと少なくとも本質的に平行に配置されていることを特徴とする。シェービング角度を最適化するために旋回可能なシェービングヘッドを有する既知の剃刀に反し、本発明に従った解決策は、活性駆動可能な皮膚伸張手段が、全ての使用条件下で並びに及び異なるハンドル角度で、シェービングされるべき皮膚と適切に接触することを保証する旋回軸をもたらす。さらに、旋回軸の付近には、皮膚伸張手段に加えられる圧力による力と、シェービングヘッドの他の部分に加えられる圧力による力、具体的には、以下に詳細に議論される保護手段に加えられる圧力による力との間に一定の力の割合がもたらされる。この一定の力の割合は、シェービングヘッド上に、皮膚伸張手段のより一定の駆動力をもたらし、それによって、シェービング中の剃刀の制御を向上する。全ての使用条件下で切断ブレードの後方で皮膚を伸張することは、毛固定（anchoring）を硬化し、毛を立てる。より剛的な毛固定及び立てられた毛は、毛切断の可能性を拡大し、毛の引張りを低減し、よりきれいな切断をもたらす。さらに、皮膚を伸張することは、切断ブレードの前方の皮膚ドーム形成(doming)を減少し、切断ブレードと皮膚との間の力の平衡を向上する。これは安全性及び快適性の向上をもたらす。旋回軸を提供するための手段は、当該技術分野において既知の任意の適切な解決策によって、具体的には、蝶番、一体成形蝶番、シェービングヘッドをハンドルに結合するためにも用いられる結合機構、又は、スナップインフックによって実現され得る。
【０００６】
本発明に従ったシェービングヘッドの具体的な実施態様は、シェービングヘッドに取り付けられたときに、シェービングヘッドとハンドルとの間に、少なくとも１つのバネ素子が設けられることを特徴とする。バネ素子は、好ましくは、使用者がシェービングされるべき皮膚に対して加える圧力を制限するために配置される。バネ素子は、ハンドルの一部を形成し、及び／又は、それはハンドルの部分をシェービングヘッドに接続し得る。
【０００７】
本発明に従ったシェービングヘッドの具体的な実施態様は、切断ブレードの切断方向に関して切断ブレードの前方に配置された保護手段をさらに含む。保護手段は、例えば、さらなるローラによって、或いは、滑り素子、例えば、長方形の断面を有し且つ皮膚と接触する目的の表面に溝を含む滑り素子によって実現され得る。
【０００８】
本発明に従ったシェービングヘッドの好適な実施態様において、前記保護手段は、毛直立作用を遂行するよう構成される。もし毛が切断ブレードによる切断前に直立させられるならば、より近接した切断が得られる。
【０００９】
追加的に、或いは、代替的に、もし前記保護手段が潤滑作用を遂行するよう構成されるならば有利である。
【００１０】
さらに、前記保護手段は、前記切断ブレードと平行に配置される少なくとも１つのストリップを含むことも可能である。
【００１１】
本発明に従ったシェービングヘッドの好適な実施態様において、前記旋回軸は、シェービング操作中、切断方向に対して直交する方向に加えられる力の成分が、活性駆動可能な皮膚伸張手段及び保護手段に、少なくとも本質的に等量に分配される。少なくとも一部の場合には、これは旋回軸を活性駆動可能な皮膚伸張手段と保護手段との間の正に中央部に配置することによって達成される。一般的には、旋回軸の適切な位置は、皮膚と保護手段との間の摩擦、皮膚と活性駆動可能な皮膚伸張手段との間の摩擦、及び、活性駆動可能な皮膚伸張手段の牽引摩擦に依存する。多くの場合に、旋回軸の最適な位置は、上述の中央部と保護手段との間にある。
【００１２】
本発明に従ったシェービングヘッドの好適な実施態様は、前記旋回軸が、活性駆動可能な皮膚伸張手段よりも保護手段に近接して配置されることを特徴とする。如何なる場合にも、皮膚伸張手段に加えられる力と保護手段に加えられる力との間の力の割合は、全ての使用条件の下で、特に、異なるハンドル角度のために、少なくとも本質的に一定に保持される。
【００１３】
本発明に従ったシェービングヘッドの具体的な実施態様は、切断ブレードと平行な旋回軸を提供するための前記手段が、シェービングヘッドをハンドルに結合するための第一結合手段を含むことを特徴とする。そのような第一結合手段は、もし切断ブレードの交換のためにシェービングヘッド全体が交換されるならば、特に有利である。
【００１４】
本発明に従ったシェービングヘッドの好適な実施態様において、前記活性駆動可能な皮膚伸張手段は、少なくとも１つの活性駆動可能なローラを含む。このローラは、皮膚との直接的な接触を目的とし得る。他の実施態様では、活性駆動可能なローラ及び少なくとも１つのさらなるローラによって支持された閉塞ループシステム、例えば、閉塞ループウェブを設け得る。
【００１５】
本発明に従ったシェービングヘッドの好適な実施態様において、前記ローラの回転の向きは、シェービングヘッド操作中に活性であるとき、前記切断方向に関する回転のリーリング(reeling)向きに対応し、活性駆動可能なローラの回転速度は、シェービングヘッドの動作に起因する回転速度よりも高速である。これによって、最適な皮膚伸張作用が得られる。
【００１６】
本発明に従ったシェービングヘッドの１つの特徴によれば、前記活性駆動可能な皮膚伸張手段は、シェービングされるべき皮膚上でのシェービングヘッドの動作を介して駆動される。例えば、剃刀を移動することによってさらなるローラ又はホイールを駆動し得るし、さらなるローラ又はホイールは、適切なギア比で皮膚伸張手段を駆動し得る。ドイツ国公報第ＤＥ１９５１４２２８Ａ１号に示されるものと類似する解決策も用い得る。
【００１７】
本発明の他の特徴によれば、前記活性駆動可能な皮膚伸張手段は、電気モータによって駆動可能である。
【００１８】
好適な実施態様において、前記電気モータは、前記シェービングヘッドに関連付けられる。これは、切断ブレードをシェービングヘッドとは別個に新しくし得る場合に、特に意味をなす。
【００１９】
他の好適な実施態様において、前記電気モータは、前記ハンドルに関連付けられる。これは、もし切断ブレードを新しくするためにシェービングヘッド全体が交換されるならば有利である。
【００２０】
特にもし電気モータがハンドルに関連付けられるならば、前記シェービングヘッドは、皮膚伸張素子を電気モータに結合するための第二結合手段をさらに含むのが好ましい。第二結合手段は、例えば、一方が電気モータを含むハンドルに関連付けられ且つ他方がシェービングヘッドに関連付けられる、２つの係合する歯車の形態を取り得る。
【００２１】
本発明の上記の及びさらなる特徴及び利点は、以下に記載され且つ図面に示される本発明の実施態様を参照することで明瞭に解明されるであろう。
【発明を実施するための最良の形態】
【００２２】
図１は、本発明に従ったシェービングヘッド８の第一実施態様の簡単且つ概略的な描写である。シェービングヘッド８は、第一結合手段３８によってハンドル２２に結合されている。第一結合手段３８は、例えば、ハンドル２２に設けられる１つ又はそれ以上の各ブリッジ内にスナップ嵌めするために、シェービングヘッド８に設けられる１つ又はそれ以上のスナップインフックの形態を取り得る。シェービングヘッド８は、切断方向１６が生じるように配置された２つの切断ブレード１０，１２を含む。切断方向１６に関して、切断ブレード１０，１２の後方には、活性駆動可能な皮膚伸張手段１４がある。活性駆動可能な皮膚伸張手段１４は、シェービングヘッド８に関連付けられた電気モータ３６によって駆動され得るローラ３２を含む。ローラ３２は、回転の向き３４が、切断方向１６に関する回転のリーリング(reeling)向き３４と対応するよう駆動される。切断方向１６に関して、切断ブレード１０，１２の前方には、保護手段２８がある。保護手段２８は、概ね長方形の断面を有し且つシェービングされるべき皮膚４０と接触する目的の表面内に溝を備えるストリップ３０を含む。
【００２３】
シェービングプロセス中、即ち、使用者がシェービングヘッドを切断方向１６に移動するときに、ローラ３２は、回転の向きに回転する電気モータ３６によって、皮膚４０上のシェービングヘッド８の動作に起因する回転速度よりも高い回転速度で駆動される。ローラ３２及び保護手段２８のための最適な圧力による力Ｆを保証するために、ハンドル２２とシェービングヘッド８との間に旋回軸２０を提供するための手段１８が設けられている。本実施態様では、手段１８は、上述の第一結合手段３８と一体的に形成されている。旋回軸２０の場所は、本発明にとって本質的である。何故ならば、この場所は、使用者によってハンドル上に加えられる圧力に起因する力の成分４２が、どのように皮膚伸張手段１４及び保護手段２８に分配されるかを定めるからである。本発明によれば、大きさ２Ｆを有する力の成分４２は、皮膚伸張手段１４及び保護手段２８に均等に分配されるのが好ましい。図１に示される実施態様において、これは、旋回軸２０を皮膚伸張手段１４と保護手段２８との間の正に中央に設けることによって達成される。しかしながら、一般的には、旋回軸の最適な位置は、皮膚４０と保護手段２８との間の摩擦、皮膚４０とローラ３２との間の摩擦、及び、活性駆動可能な皮膚伸張手段１４の牽引摩擦に依存する。旋回軸２０を配置するのに好ましい領域は、図２を参照して議論される。
【００２４】
図２は、本発明に従ったシェービングヘッド８の第二実施態様の簡単且つ概略的な描写である。図２に示される実施態様は、電気モータ３６がハンドル２２に関連付けられている点で、図１の実施態様と異なる。それに限定されることなく、シェービングヘッド８全体を交換することによって切断ブレード１０，１２が新しくされる場合に、これは特に有利である。電気モータは、２つの駆動シャフト４４，４６を介してローラ３２を駆動する。これらの駆動シャフト４４，４６は、第二結合手段５４によって結合され、第二結合手段は、この場合には、２つの係合歯車４８，５０から成る。
【００２５】
図２は、旋回軸２０を配置するのに好ましい領域５２を追加的に示している。図２から見られ得るように、この領域は、水平方向において、活性駆動可能な皮膚伸張手段１４と保護手段２８との間の中央部と、保護手段２８それ自体との間に延在している。垂直方向において、領域５２は、シェービングヘッド８の上面と下面との間に延在している。従って、本発明に従ったシェービングヘッド８の多くの実施態様では、旋回軸２０を皮膚伸張手段１４よりも保護手段２８に位置付ける傾向がある。
【００２６】
図３は、本発明に従ったシェービングヘッド８の第三実施態様の簡単且つ概略的な描写である。図３に示される実施態様は、ハンドル２２が可撓部又はバネ素子２４を含む点で、図１の実施態様と異なる。バネ素子２４は、使用者によってシェービングヘッド８上に加えられる圧力を制限するために設けられる。
【００２７】
図３は、本発明に従ったシェービングヘッド８の第三実施態様の簡単で概略的な描写である。図３に示される実施態様は、旋回軸２０が切断ブレード１０，１２の前方に位置し且つハンドル２２とシェービングヘッド８との間にバネ素子２６が設けられている点で、図１の実施態様と異なる。旋回軸２２は、使用者によって切断ブレード１０，１２及びローラ３２上に加えられる圧力を制限するために、切断ブレード１０，１２の前方に配置されている。
【００２８】
請求項中で用いられる如何なる参照記号も本発明の範囲を制限するものと解釈されるべきでないことが留意されるべきである。
【図面の簡単な説明】
【００２９】
【図１】本発明に従ったシェービングヘッドの第一実施態様を簡単に示す概略図である。
【図２】本発明に従ったシェービングヘッドの第二実施態様を簡単に示す概略図である。
【図３】本発明に従ったシェービングヘッドの第三実施態様を簡単に示す概略図である。
【図４】本発明に従ったシェービングヘッドの第四実施態様を簡単に示す概略図である。
【図１】
2007513673.tif 000003
【図２】
2007513673.tif 000004
【図３】
2007513673.tif 000005
【図４】
2007513673.tif 000006
【国際調査報告】
2007513673.tif 000007
2007513673.tif 000008
2007513673.tif 000009